(57)【要約】【課題】閉鎖されたシャッターに対し、バールなどの用具を用いて座板の下面から強引にシャッターカーテンを持ち上げようとしても、持ち上がらないようにして防犯効果を確保することを課題とする。【解決手段】ガイドレール４の内側または外側に金具５を添設し、その屋内側側板５ｂに、ガイド溝４ｄに突設させない状態で係止爪６を形成し、シャッターカーテンを持ち上げた際、これに連動して屈曲したカーテン片（スラット１ａ、ホロー型スラット１ａ´、パイプ１ａ´´）の押圧でガイドレール４の屋内側又は屋外側側板５ｂ、５ｃを拡開してスラット片を係止爪６に係止させて、持ち上げを阻止するように構成した。【選択図】図１
2005133400.tif 000002
【特許請求の範囲】
【請求項１】
複数のカーテン片を屈曲自在に連結してシャッターカーテンを構成し、該シャッターカーテンの端部をガイドレールに沿って昇降案内することにより、開口部を開閉するようにしたシャッターにおいて、上記ガイドレールの内側または外側に金具を添設し、該金具の少なくとも屋内側側板にはガイド溝に突出させない状態で係止爪を形成すると共に、上記シャッターの閉鎖時にシャッターカーテンが座板の下面から持ち上げられた際、これに連動して屈曲したカーテン片の押圧でガイドレールの屋内側又は屋外側側板を拡開して、カーテン片が係止爪に係止させるように構成したことを特徴とするシャッターの持ち上げ防止構造。
【請求項２】
金具の係止爪に係止されるカーテン片は、スラットを連結するインターロック部であることを特徴とする請求項1記載のシャッターの持ち上げ防止構造。
【発明の詳細な説明】
【技術分野】
【０００１】
本発明は、シャッターの持ち上げ防止構造に係り、詳しくは、閉鎖状態のシャッターに対し、外部からバールのような用具を使用して、強引に座板部の下面からシャッターカーテンを持ち上げようとしても、シャッターカーテンの開放を阻止し、もってシャッターの防犯効果を確保することができるシャッターの持ち上げ防止構造に関するものである。
【背景技術】
【０００２】
この種シャッターには、重量シャッターと軽量シャッターの区別があり、また駆動装置の有無によって電動式シャッターと手動式シャッターとに区別される。しかし、シャッターの最大使命は、閉鎖状態を保持して防犯効果を確保する点にある。
【０００３】
そこで、通常のシャッター開閉時には、シャッターカーテンの自重により、昇降動作に支障を来すことがないと共に、シャッターの閉鎖状態では、シャッターカーテンを下から持ち上げようとしても、持ち上がらないようにして防犯効果を確保するシャッターが提案されている。
【特許文献１】実用新案登録第２５２５９２１号
【０００４】
しかし、特許文献１のものは、シャッターカーテンを構成するカーテン片間に屈折可能なロック部材で連結し、該ロック部材の屈折箇所にロック爪を設け、閉鎖時のシャッターを持ち上げようとすると、このロック爪がガイドレールに設けたフック部に係止されて、シャッターの開放を阻止するようにしたものが開示されている。しかし、このものはロック爪がガイド溝に突出しているので、シャッターカーテンが強風にあおられて面圧を受けると、シャッターの開閉中にロック爪がフック部に係止して開閉不能になる不具合があったうえ、シャッターカーテンに加工を施さなければ、閉鎖時におけるシャッターの持ち上げを阻止して防犯効果を確保することができないばかりでなく、既設のシャッターにそのまま利用して「後付け」することができない、という不具合がある。
【発明の開示】
【発明が解決しようとする課題】
【０００５】
本発明は、上記のような実状に鑑み、従来の不具合を解消すべく創案されたものであって、その意図するところは、重量シャッター、軽量シャッターの区別なく、電動式シャッター、手動式シャッターの区別もなく、少なくとも巻取ドラムに巻装されたシャッターカーテンがガイドレールに沿って昇降案内されて開口部を開閉するシャッターに適用されると共に、構造が極めて簡単で故障の惧れがなく、既設のシャッターにも後付けができ、しかも閉鎖時におけるシャッターカーテンの持ち上げに対する防犯性を著しく向上させた状態で防犯効果を確保することができるシャッターの持ち上げ防止構造を提供することを課題とするものである。
【課題を解決するための手段】
【０００６】
上記課題を解決するため、本発明が採用した技術手段は、複数のカーテン片を屈曲自在に連結してシャッターカーテンを構成し、該シャッターカーテンの端部をガイドレールに沿って昇降案内することにより、開口部を開閉するようにしたシャッターにおいて、上記ガイドレールの内側または外側に金具を添設し、該金具の少なくとも屋内側側板にはガイド溝に突出させない状態で係止爪を形成すると共に、上記シャッターの閉鎖時にシャッターカーテンが座板の下面から持ち上げられた際、これに連動して屈曲したカーテン片の押圧でガイドレールの屋内側又は屋外側側板を拡開して、カーテン片が係止爪に係止させるように構成したことを特徴とするものである。
【０００７】
またこのものにおいて、上記金具の係止爪に係止されるカーテン片は、スラットを連結するインターロック部であることを特徴とするものである。
【発明の効果】
【０００８】
したがって本発明によれば、シャッターの閉鎖状態でバールなどの用具でシャッターカーテンを座板部の下面から持ち上げた際、これに連動して屈曲したカーテン片の押圧でガイドレールの屋内側または屋内側側板が拡開され、カーテン片が係止爪に係止されて、シャッターカーテンの持ち上げを防止することができる。その際、シャッターカーテンがスラットで構成されている場合は、インターロック部が係止爪に係止して持ち上げが防止できる。
【発明を実施するための最良の形態】
【０００９】
ガイドレールの内側に、ガイド溝に突出しない状態で係止爪を形成した金具を添設したという簡単な構造で、閉鎖時におけるシャッターの持ち上げが防止できるようにした。
【実施例１】
【００１０】
図１（Ａ）はスラットカーテンで構成されたシャッターの閉鎖状態を示す側端面図および要部平面図、同図（Ｂ）はスラットカーテンの座板が持ち上げられてた状態を示す側端面図および要部平面図、同図（Ｃ）は係止爪を形成した金具の側端面図。
図２は他の実施例を示すものであって、同図（Ａ）はスラットカーテンで構成されたシャッターの閉鎖状態を示す側端面図および要部平面図、同図（Ｂ）はスラットカーテンの座板が持ち上げられた状態を示す側端面図及び要部平面図、同図（Ｃ）は係止爪を形成した金具の側端面図。
図３（Ａ）は図１（Ａ）の要部拡大平面図、同図（Ｂ）は図１（Ｂ）の要部拡大平面図。
図４（Ａ）は図２（Ａ）のの要部拡大平面図、同図（Ｂ）は図２（Ｂ）の要部拡大平面図。
図５（Ａ）は側板に係止爪を形成した金具の側端面図および平面図、同図（Ｂ）は同上側面図、同図（Ｃ）は両側板に係止爪を形成した状態を示す正面図および平面図、同図（Ｄ）は同上側面図。
図６（Ａ）は側板に係止爪を形成してガイドレールの外側に設けた金具の平面図、同図（Ｂ）はシャッターカーテンの座板が持ち上げられた状態を示す平面図
【００１１】
上記図１ないし図６において、１はスラット１ａを上下方向にインターロック部２を介して連結されたスラットカーテンであって、該スラットカーテン１は巻取ドラムに巻装された状態で、ガイドレール４に昇降案内されて開口部を開閉するように構成されており、開閉動作は電動式であると手動式であるとを問わない。この場合、従来の電動シャッターについては、シャッターカーテンを巻上げるモータに対して制動機構が設けられていると共に、ケース内でカーテンをを巻取ドラムに固定する手段が採られているが、固定手段を施した下方のシャッターカーテンには持ち上げに対する阻止手段が無いので閉鎖状態で巻取ドラムに制動が働いていても、シャッターカーテンの下部に手をかけて持ち上げると、上方への移動に伴って生じた「たるみ」が生じて開放を許容する不具合があった。
【００１２】
また、手動式シャッターについては、開口部の中間部位にガイドレールを利用して施錠機構が設けられているが、施錠機構の下方のシャッターカーテンには持ち上げに対する阻止手段が無いので、電動式シャッターの場合と同様に開放を許容する不具合があった。
【００１３】
本発明は従来の実状を踏まえて、ガイドレール４の内側または外側に、ガイド溝に突出させない状態で係止爪が形成された金具を添設した点に特徴を有するものであって、実施例ではガイドレール４と同形のコ字状のものを示したがこれに限定されるものではなくＬ字状であってもよい。そして底板５ａ方向の奥行きはガイドレール４の底板４ａの奥行きより浅く設定されている。したがって、ガイドレール４の屋内側側板４ｂ、屋外側側板４ｃの開口端縁は、金具５の屋内側側板５ｂ、屋外側側板５ｃの開口端縁よりガイド溝４ｄの長手方向に突出している。
【００１４】
上記金具５の屋内側側板５ｂ、屋外側側板５ｃにはガイドレール４のガイド溝４ｄに突出させない状態で水平状に臨ませた係止爪６、６…が所要間隔を存して切欠形成されているが、該係止爪６、６…はその先端部分を下方に折曲して、側面視逆Ｌ字状に形成してもよい。また、係止爪６の個数には格別の制限は無く、屋内側側板５ｂにのみ設けてもよい。
【００１５】
上記ガイドレール４の外側に添設される金具５は、図６（Ａ）に示すように、躯体側に位置する屋外側側板５ｃがガイドレール４の屋外側側板４ｃに固定され、屋内側側板５ｃは空隙部７を介してガイドレール４の屋内側側板４ｂに臨んでおり、屋内側側板４ｂには係止爪６に対応する部位に貫通孔８が切欠形成されている。更にガイドレール４の内側に添設された金具５は、図２（Ａ）（Ｂ）に示すように、躯体側に位置する屋外側側板５ｃがガイドレール４の屋外側側板４ｃに固定されている。また、他の実施例として、図２（Ａ）（Ｂ）に示す金具５は実施態様として示すように図４（Ａ）（Ｂ）に示すように金具５の屋外側側板５ｃがガイドレール４の屋外側側板４ｃにピンなどを介して固定され（同図（Ａ）参照）、また同図（Ｂ）の場合は金具５の底板５ａがガイドレール４の底板４ａにピンなどを介して固定されているが、同図（Ａ）のように屋外側側板同士を固定してもよい。さらに、金具５をＬ字状に形成し場合には、ガイドレール4の底板４ａ、金具５の底板５ａどうしを固定すればよい。尚、Ｓはガイドレール４の屋内側側板４ｂの開口端部に装着した気密材である。
【００１６】
図７（Ａ）はホロー型スラットがインターロックを介して上下方向に連結された状態を示す側面図、同図（Ｂ）はホロー型スラットで構成されたシャッターカーテンの閉鎖状態を示す側端面図、同図（Ｃ）はホロー型スラットカーテンの座板が持ち上げられてホロー型スラットの係合孔が金具の係止爪に係止された状態を示す側端面図である。
【００１７】
同図（Ａ）ないし（Ｃ）において、１´はホロー型スラット１ａ´を上下方向にインターロック２を介して連結されたホロー型スラットカーテンであって、該ホロー型スラットカーテン１´は巻取ドラムに巻装された状態で、ガイドレール４に昇降案内されて開口部を開閉するように構成されている。この場合の開閉動作は電動式であると手動式であるとを問わない。そして、ホロー型スラット１ａ´の屋内側（裏面側）には座板を持ち上げた際に、金具５の係止爪６に係止される係合孔９が穿設されている。
【００１８】
図８（Ａ）はパイプがリンクプレートを介して上下方向に連結されたパイプカーテンの閉鎖状態を示す側端面図、同図（Ｂ）はパイプカーテンの閉鎖状態示す側端面図、同図（Ｃ）はパイプカーテンの座板が持ち上げられてパイプが金具の係止爪に係止された状態を示す側端面図である。
【００１９】
同図（Ａ）ないし（Ｃ）において、１´´はリンクプレート１０を介して複数のパイプ１ａ´´を上下方向に所要間隔を存して連結してなるパイプカーテンであって、該パイプカーテン１´´は巻取ドラムに巻装された状態で、ガイドレール４に昇降案内されて開口部を開閉するように構成されている。この場合の開閉動作は電動式であると手動式であるとを問わない。
【００２０】
本発明は、叙上のように構成されているので、いま、シャッターの閉鎖状態で、バールなどの用具で座板３の下面からシャッターカーテンを持ち上げると、図１（Ｂ）及び図３（Ｂ）に示すように、これに連動してスラットカーテン１やホロー型カーテン１´の場合はインターロック３が屈曲し、また、パイプカーテン１´´の場合はリンクプレート９が屈曲して、ガイドレール４の屋内側側板４ｂを押圧して拡開する。この拡開によって、スラットカーテン１ではインターロック２が、ホロー型スラットカーテン１´ではホロー型スラット１ａ´に形成した係合孔９が、パイプカーテン１´´ではパイプ１ａ´´がそれぞれ金具５の屋内側側板５ｂ側に形成した係止爪６に係止されて、シャッターカーテン６開放を阻止することができる。また、図２（Ｂ）及び図４（Ｂ）に示された実施対応の場合には、金具５とガイドレール４が一体となっているので、シャッターカーテンを持ち上げると金具５とガイドレール４が固定部分を支点として屋外側に傾動変姿し、金具５の屋外側側板５ｃに形成した係止爪６に係止される事になる。尚、スラットシャッターにおいて、図１（Ｂ）に示すようにスラットに棒状の係止片１１を設け、インターロック２に替えてこれを係止させるようにしてもよい。
本発明によれば、防犯性を著しく向上させた状態で防犯効果を確保することができる。そのうえ、構造が極めて簡単で故障の惧れがなく、既存のシャッターにも後付けができる。
【図面の簡単な説明】
【００２１】
【図１】（Ａ）はスラットカーテンで構成されたシャッターの閉鎖状態を示す側端面図および要部平面図。（Ｂ）はスラットカーテンの座板が持ち上げられてた状態を示す側端面図および要部平面図（Ｃ）は係止爪を形成した金具の側端面図。
【図２】他の実施例を示すものであって、（Ａ）はスラットカーテンで構成されたシャッターの閉鎖状態を示す側端面図および要部平面図（Ｂ）はスラットカーテンの座板が持ち上げられた状態を示す側端面図及び要部平面図（Ｃ）は係止爪を形成した金具の側端面図
【図３】（Ａ）は図１（Ａ）の要部拡大平面図（Ｂ）は図１（Ｂ）の要部拡大平面図
【図４】（Ａ）は図２（Ａ）の要部拡大平面図（Ｂ）は図２（Ｂ）の要部拡大平面図
【図５】（Ａ）は側板に係止爪を形成した金具の側端面図および平面図（Ｂ）は同上側面図（Ｃ）は両側板に係止爪を形成した状態を示す正面図および平面図（Ｄ）は同上側面図
【図６】（Ａ）は側板に係止爪を形成してガイドレールの外側に設けた金具の平面図（Ｂ）はシャッターカーテンの座板が持ち上げられた状態を示す平面図
【図７】（Ａ）はホロー型スラットがインターロックを介して上下方向に連結された状態を示す側面図（Ｂ）はホロー型スラットで構成されたシャッターカーテンの閉鎖状態を示す側端面図（Ｃ）はホロー型スラットカーテンの座板が持ち上げられてホロー型スラットの係合孔が金具の係止爪に係止された状態を示す側端面図
【図８】（Ａ）はパイプがリンクプレートを介して上下方向に連結されたパイプカーテンの閉鎖状態を示す側端面図（Ｂ）はパイプカーテンの閉鎖状態示す側端面図（Ｃ）はパイプカーテンの座板が持ち上げられてパイプが金具の係止爪に係止された状態を示す側端面図である。
【符号の説明】
【００２２】
１      スラットカーテン
１´    ホロー型スラットカーテン
１´´  パイプカーテン
１ａ    スラット
１ａ´  ホロー型スラット
１ａ´´パイプ
２      インターロック
３      座板
４      ガイドレール
４ａ    底板
４ｂ    屋内側側板
４ｃ    屋外側側板
４ｄ    ガイド溝
５      金具
５ａ    底板
５ｂ    屋内側側板
５ｃ    屋外側側板
６      係止爪
７      空隙部
８      貫通孔
９      係合孔
１０    リンクプレート
１１    係止片
【図１】
2005133400.tif 000003
【図２】
2005133400.tif 000004
【図３】
2005133400.tif 000005
【図４】
2005133400.tif 000006
【図５】
2005133400.tif 000007
【図６】
2005133400.tif 000008
【図７】
2005133400.tif 000009
【図８】
2005133400.tif 000010